(57)【要約】【課題】電線と防護管との結合力を強化する。【解決手段】電線２５と該電線２５に装着される防護管２６との結合力を強化するために、該電線２５と該防護管２６との間に設置される固定補助具１であって、軸方向にスリットが形成され、該スリットを介して前記電線２５に取り付け可能な筒部２と、前記筒部２の一部として、又は前記筒部２と一体に設けられ、前記電線２５の外面との摩擦力、及び前記防護管２６の内壁面との摩擦力を増加させる摩擦力増加手段１５ａ，１５ｂとを具備する。【選択図】図３
2008263747.tif 000002
【特許請求の範囲】
【請求項１】
電線と該電線に装着される防護管との結合力を強化するために、該電線と該防護管との間に設置される固定補助具であって、
軸方向にスリットが形成され、該スリットを介して前記電線に取り付け可能な筒部と、
前記筒部の一部として、又は前記筒部と一体に設けられ、前記電線の外面との摩擦力、及び前記防護管の内壁面との摩擦力を増加させる摩擦力増加手段と、
を具備してなることを特徴とする防護管の固定補助具。
【請求項２】
前記摩擦力増加手段は、前記筒部の外面及び内面に固定されたゴム製の部材からなることを特徴とする請求項１記載の防護管の固定補助具。
【請求項３】
前記摩擦力増加手段は、前記スリットの近傍部に揺動可能に固定され、前記筒部の軸方向に沿って延びる円柱形状のゴム製の部材からなることを特徴とする請求項１記載の防護菅の固定補助具。
【請求項４】
前記筒部を前記スリットの間隔が変化するように開閉させる開閉手段を具備することを特徴とする請求項１〜３のいずれか１つに記載の防護管の固定補助具。
【発明の詳細な説明】
【技術分野】
【０００１】
本発明は、架空電線に防護管を装着する作業において、該防護管の架空電線に対する結合力を向上させるための道具に関する。
【背景技術】
【０００２】
従来の防護管として、可撓性及び弾発性を有する電気絶縁性材料からなり、周方向に分断されて大略的に筒状に形成され、軸線方向一端部には第１係合部が形成され、且つ軸線方向他端部には第２係合部が形成されるものが開示されている（特許文献１参照）。
【特許文献１】特開２０００−１８８１６号公報
【発明の開示】
【発明が解決しようとする課題】
【０００３】
上記のような一般的な構造の防護管において、電線に複数の防護管を装着する際には、防護管の一端側の第１係合部を隣接する防護管の他端側の第２係合部に係合させる。即ち、従来構造においては、隣接する防護管同士、及びこれら防護管と電線との結合は、防護管の端部においてなされ、防護管の中央部において電線と防護管との結合を補助又は強化する手段はなかった。このため、電線と防護管との結合力が不足しがちであり、防護管のずれ、脱落等の不具合が発生する場合があった。
【０００４】
そこで、本発明は、電線と防護管との結合力を強化することができる道具を提供することを目的とする。
【課題を解決するための手段】
【０００５】
上記目的の達成を図る本発明は、電線と該電線に装着される防護管との結合力を強化するために、該電線と該防護管との間に設置される防護管の固定補助具であって、軸方向にスリットが形成され、該スリットを介して前記電線に取り付け可能な筒部と、前記筒部の一部として、又は前記筒部と一体に設けられ、前記電線の外面との摩擦力、及び前記防護管の内壁面との摩擦力を増加させる摩擦力増加手段とを具備してなることを特徴とするものである（請求項１）。
【０００６】
上記構成によれば、先ずスリットを介して電線を挟み込むように固定補助具を取り付け、その後この固定補助具を包み込むように、防護管を電線に取り付ける。すると、筒部に設けられた摩擦力増加手段が電線の外面と防護管の内壁面とに当接し、これらとの間の摩擦力が大きくなる。これにより、固定補助具を介して電線と防護管との結合が強化され、防護管が電線に対して軸方向にずれたり、脱落したりすることが防止される。また、この固定補助具は、従来何も設置されていなかった防護管の中央部付近に設置することができるので、防護管の両端部だけでなく、中央部付近においても電線と防護管との結合作用が発揮され、防護管全体の結合力が従来より格段に向上される。
【０００７】
また、上記請求項１記載の構成において、前記摩擦力増加手段は、前記筒部の外面及び内面に固定されたゴム製の部材からなることが好ましい（請求項２）。
【０００８】
ゴム製の部材を筒部に設けることにより、滑り止めとしての効果を得ることができる。
【０００９】
また、上記請求項１記載の構成において、前記摩擦力増加手段は、前記スリットの近傍部に揺動可能に固定され、前記筒部の軸方向に沿って延びる円柱形状のゴム製の部材からなるものであってもよい（請求項３）。
【００１０】
この構成によれば、円柱形状のゴム製の部材をスリットを介して電線と防護管との両方に当接させることができ、これにより滑り止めの効果を得ることができる。
【００１１】
また、上記請求項１〜３のいずれか１つに記載の構成において、前記筒部を前記スリットの間隔が変化するように開閉させる開閉手段を具備することが好ましい（請求項４）。
【００１２】
これにより、電線に筒部を取り付ける際の作業性が向上する。
【発明の効果】
【００１３】
以上のように、本発明にかかる固定補助具を電線と防護管との間に設置することにより、摩擦力増加手段が電線の外面と防護管の内壁面とに当接し、これらとの間の摩擦力が大きくなる。これにより、固定補助具を介して電線と防護管との結合が強化され、防護管が電線に対して軸方向にずれたり、脱落したりすることが防止される。また、この固定補助具は、従来何も設置されていなかった防護管の中央部付近に設置することができるので、防護管の両端部だけでなく、中央部付近においても電線と防護管との結合作用が発揮され、防護管全体の結合力が従来より格段に向上される。
【発明を実施するための最良の形態】
【００１４】
以下、添付した図面を参照して本発明の実施例を説明する。尚、異なる実施例において同一又は同様の作用効果を奏する箇所についてはその説明を省略する。
【実施例１】
【００１５】
図１に示す本実施例に係る固定補助具１は、電線と防護管との固定を強化するために、電線と防護管との間に設置される道具であって、筒部２、摩擦部３、開閉手段４を具備して構成されている。
【００１６】
筒部２は、プラスチック部２ａとゴム部２ｂとから構成され、両端に開口部１０，１１が形成されると共に、軸方向に沿ってスリット１２が形成されている。プラスチック部２ａとゴム部２ｂとは一体に形成されており、ゴム部２ｂは十分な可撓性を有している。プラスチック部２ａには後述する開閉手段４が設けられ、ゴム部２ｂには後述する摩擦部３が設けられている。
【００１７】
摩擦部３は、前記ゴム部２ｂの内側及び外側の面に設けられたゴム製の凸状面１５ａ，１５ｂにより構成される。凸状面１５ａ，１５ｂは、摩擦力を高めることを目的として形成された複数の突起により構成されるものであり、後述するが筒部２の内側に配される凸状面１５ａは電線と当接し、外側に配される凸状面１５ｂは防護管と当接する。
【００１８】
開閉手段４は、握り部２０、弾性体収納部２１を有して構成され、図２に示すように、周知の洗濯ばさみのような構造によって、スリット１２を開口部として筒部２を開閉可能にするものである。即ち、握り部２０を互いに近づけるように握ることにより、図２（ｂ）中二点鎖線のように、筒部２が開放し、握り部２０を放すことにより、弾性体収納部２１内に設置されたバネ等の作用により、実線で示すようにスリット１２の開放間隔が狭まった状態となる。
【００１９】
図３及び図４において、上記構成の固定補助具１の使用状態が示されている。固定補助具１は、電線２５と防護管２６との間に設置される。先ず、上述のように開閉手段４を操作して固定補助具１の筒部２内に電線２５を収納し、内側の凸状面１５ａを電線２５に当接させて固定補助具１を固定する。次いで、この電線２５に固定された固定補助具１を覆うように、防護管２６を電線２５に装着する。この時、固定補助具１の外側の凸状面１５ｂを防護管２６の内壁面に当接させる。これにより、電線２５と防護管２６との固定が、従来のように防護管２６の端部に設けられた接続部３０（図４参照）のみからなされるのではなく、防護管２６の中央部付近において、上記固定補助具１によってもなされるので、防護管２６の電線２５に対する結合力が強化される。
【実施例２】
【００２０】
図５において、本実施例にかかる固定補助具４１が示されている。この固定補助具４１は、上記実施例１にかかる防護管１の筒部２に相当する筒部４２の形状が変更されたものであり、またこの筒部４２の変更に伴い摩擦部４３及び開閉手段４４の形状も変更されている。これら筒部４１、摩擦部４３、及び開閉手段４４は、上記実施例１と実質的に同様の作用効果を奏する。本実施例のような形状とすることにより、材料の削減による低コスト化等を図ることができる。
【実施例３】
【００２１】
図６において、本実施例にかかる固定補助具５１が示されている。この固定補助具５１は、筒部５２が全てプラスチック素材で形成され、スリット５５の内側部分に、ゴム素材からなる摩擦部５３が揺動可能に固定されている。この摩擦部５３は、円柱形状を有し、スリット５５に沿って筒部５２の全長に渡って設けられている。また、開閉手段５４の構成は上記実施例１と同様である。
【００２２】
図７において、本実施例にかかる固定補助具５１の使用状態が示されている。図７に示すように、固定補助具５１は電線２５を覆うように取り付けられ、これら固定補助具５１及び電線２５を更に覆うように防護管２６が取り付けられる。本実施例の固定補助具５１においては、先ず図７（ａ）に示すように、摩擦部５３が筒部５２の内側において電線２５に当接するようになされ、その後図７（ｂ）に示すように、摩擦部５３をスリット５５から外側へ押し出すようにしてこの摩擦部５３が電線２５と防護管５３との両方に接するようにする。これにより、電線２５と防護管２６とを固定補助具５１を介して固定することができる。
【図面の簡単な説明】
【００２３】
【図１】（ａ）は本発明の実施例１にかかる固定補助具の構造を示す斜視図であり、（ｂ）は（ａ）の断面図である。
【図２】（ａ）は実施例１にかかる固定補助具の断面図であり、（ｂ）は当該固定補助具の開閉手段の作用を説明するための図である。
【図３】実施例１にかかる固定補助具の使用状態を示す断面図である。
【図４】実施例１にかかる固定補助具の使用状態を示す一部透過斜視図である。
【図５】実施例２にかかる固定補助具の構造を示す斜視図である。
【図６】実施例３にかかる固定補助具の構造を示す斜視図である。
【図７】（ａ）は実施例３にかかる固定補助具の使用時の初期の段階を示す断面図であり、（ｂ）は当該使用時の後期の段階を示す断面図である。
【符号の説明】
【００２４】
１，４１，５１  固定補助具
２，４２，５２  筒部
２ａ  プラスチック部
２ｂ  ゴム部
３，５５  摩擦部
４，４４，５４  開閉手段
１２  スリット
１５ａ，１５ｂ  凸状面
２５  電線
２６  防護管
【図１】
2008263747.tif 000003
【図２】
2008263747.tif 000004
【図３】
2008263747.tif 000005
【図４】
2008263747.tif 000006
【図５】
2008263747.tif 000007
【図６】
2008263747.tif 000008
【図７】
2008263747.tif 000009